(57)【要約】【課題】トイレ等のサニタリーゾーンの排気を行っても給気流が臭気を帯びることのない熱交換換気装置を得る。【解決手段】室内から室外へ向う排気流を排気通路に形成する排気用送風機３と、室外から室内へ向う給気流を給気通路に形成する給気用送風機２と、排気通路と給気通路の経路の一部を構成し、給排気流間で連続的な熱交換を行う熱交換器５とが六面体の本体箱体１に組込まれた熱交換換気装置について、その排気用送風機３を熱交換器５より下流側に設けるとともに、開閉可能の排気分岐通路２９を熱交換器５と排気用送風機３との間の排気通路に設け、排気分岐通路２９をトイレ等のサニタリーゾーンにダクトにより連絡させる。【選択図】　　　　　図１
2004085148.tif 000002
【特許請求の範囲】
【請求項１】
室内から室外へ向う排気流を排気通路に形成する排気用送風機と、室外から室内へ向う給気流を給気通路に形成する給気用送風機と、前記排気通路と給気通路の経路の一部を構成し、給排気流間で連続的な熱交換を行う熱交換器とが六面体の本体箱体に組込まれた熱交換換気装置であって、前記排気用送風機を熱交換器より下流側に設けるとともに、開閉可能の排気分岐通路を前記熱交換器と前記排気用送風機との間の前記排気通路に設けた熱交換換気装置。
【請求項２】
請求項１に記載の熱交換換気装置であって、排気分岐通路の入口部分を本体箱体の対称位置に二つ設けた熱交換換気装置。
【請求項３】
請求項２に記載の熱交換換気装置であって、給気通路の出口を給気端末部品で構成し、本体箱体の天面に略平行な複数のダクト接続口を三方向に向って設け、その対向する二方向のダクト接続口と、排気分岐通路の入口部分に装着するダクト接続口とを共通部品とした熱交換換気装置。
【請求項４】
請求項２に記載の熱交換換気装置であって、排気分岐通路の入口部分に係合孔を設け、この係合孔に係合する爪を持つダクト接続口を前記排気分岐通路の入口部分に装着した熱交換換気装置。
【発明の詳細な説明】
【０００１】
【発明の属する技術分野】
本発明は、熱交換器を通じて給排気による熱交換換気を行う天井裏設置タイプの熱交換換気装置に関するものである。
【０００２】
【従来の技術】
熱交換換気を行う天井裏設置タイプの熱交換換気装置は、基本的には、図６に示すように、六面体の本体箱体５０に室内から室外（多くは屋外）へ向う排気流を排気通路５１に形成する排気用送風機５２と、室外（多くは屋外）から室内へ向う給気流を給気通路５３に形成する給気用送風機５４と、排気通路５１と給気通路５３の経路の一部を構成し、給排気流間で連続的な熱交換を行う熱交換器５５とを組込んだ構成が採られている。熱交換の主体である熱交換器５５は、一次気流である排気流を通す複数の一次通路と、二次気流である給気流を通す複数の二次通路とが内部で独立状態のまま交差した六面体で積層構造のものが多く採用されている。本体箱体５０の側部には、排気通路５１と給気通路５３の端末部品５６が設けられ、この端末部品５６にダクト５７が接続されて室内や室外へ連絡される。
【０００３】
【発明が解決しようとする課題】
上記したような従来の天井裏設置タイプの熱交換換気装置は、熱交換器の一次通路と二次通路により排気流と給気流との間で熱交換を行うため、トイレ等のサニタリーゾーンの排気を行うと、熱交換器に臭気成分が蓄積され、臭気を帯びた給気流が室内へ給気されるといった問題点があった。
【０００４】
本発明は、上記した従来の問題点を解消するためになされたものであって、その課題とするところは、トイレ等のサニタリーゾーンの排気を行っても給気流が臭気を帯びることのない熱交換換気装置を得ることであり、その熱交換換気装置の適用性や組付性の向上を図ることである。
【０００５】
【課題を解決するための手段】
前記課題を達成するために請求項１の発明は、室内から室外へ向う排気流を排気通路に形成する排気用送風機と、室外から室内へ向う給気流を給気通路に形成する給気用送風機と、排気通路と給気通路の経路の一部を構成し、給排気流間で連続的な熱交換を行う熱交換器とが六面体の本体箱体に組込まれた熱交換換気装置について、その排気用送風機を熱交換器より下流側に設けるとともに、開閉可能の排気分岐通路を熱交換器と排気用送風機との間の排気通路に設ける手段を採用する。
【０００６】
前記課題を達成するために請求項２の発明は、請求項１に係る前記手段における排気分岐通路の入口部分を、本体箱体の対称位置に二つ設ける手段を採用する。
【０００７】
前記課題を達成するために請求項３の発明は、請求項２に係る前記手段における給気通路の出口を給気端末部品で構成し、本体箱体の天面に略平行な複数のダクト接続口を三方向に向って設け、その対向する二方向のダクト接続口と、排気分岐通路の入口部分に装着するダクト接続口とを共通部品とする手段を採用する。
【０００８】
前記課題を達成するために請求項４の発明は、請求項２に係る前記手段における排気分岐通路の入口部分に係合孔を設け、この係合孔に係合する爪を持つダクト接続口を排気分岐通路の入口部分に装着する手段を採用する。
【０００９】
【発明の実施の形態】
図１〜図５は本実施の形態の熱交換換気装置について示したものである。この熱交換換気装置は、天井裏空間に設置される天井裏設置タイプのものであり、図１に全体の分解斜視図を示すように、六面体の本体箱体１内に給気用送風機２と排気用送風機３を組込んだ送風機ユニット４及び、積層型の熱交換器５を組込んだ熱交換器ユニット６が横並びに組付けられている。本体箱体１には、その一側面に前後に並んで二つの角形の開口部７が設けられ、対向する他側面は開放している。本体箱体１の下面の、開口部７のある側面側寄りの略半分は、点検口８として開放している。また、本体箱体１の開放した側面寄りの前面と後面の対称位置には開口部２８がそれぞれ開設されている。
【００１０】
送風機ユニット４は、図２に単独の分解斜視図で示すように本体箱体１内に上面を除いて密着して収まる六面体に構成され、本体箱体１の点検口８から開放した側面側に収められている。送風機ユニット４の中央にはモーター取付板９が、上側の発泡スチロールでできた羽根ケーシングブロック１０と下側の発泡スチロールでできた羽根ケーシングブロック１１との間に挟着けられ、その中央に両軸のモーター１２が取付けられている。上側の羽根ケーシングブロック１０には上面に吸込口が、前側の側面に吹出口の開放したスクロール空間１３が内設され、このスクロール空間１３においてモーター１２の回転軸に装着された排気用のファン１４が回転するようになっている。上側の羽根ケーシングブロック１０の前面と後面には、本体箱体１の開口部２８に通じ、吸込口に連絡する排気分岐通路２９が形成されている。下側の羽根ケーシングブロック１１には側面に吸込口が、他側面に吹出口の開放したスクロール空間が内設され、このスクロール空間においてモーター１２の回転軸に装着された給気用のファン１５が回転するようになっている。
【００１１】
熱交換器ユニット６は、図３に単独の分解斜視図で示すように下面の開放した発泡スチロールでできた風路構造体１６に熱交換器５が着脱可能に嵌込まれて略六面体に構成されており、本体箱体１の点検口８から送風機ユニット４の横に並んで組込まれている。風路構造体１６には熱交換器５の一次通路に通じる通路１７が、上部に上側の羽根ケーシングブロック１０の吸込口に通じるように形成され、上側の羽根ケーシングブロック１０の吹出口に通じる通路１８が、前面上部に横向きに形成されている。また、風路構造体１６には、熱交換器５の二次通路に通じる通路１９が横方向に形成され、その一端は、下側の羽根ケーシングブロック１１の側面の吸込口に通じている。この通路１９には溝によって抜差しできるフィルター２０が装着され、熱交換器５の一次通路の入口側にもフィルター２１が装着されている。
【００１２】
本体箱体１内の開口部７のある一内側面には、第１の端末部品２２が装着されている。この第１の端末部品２２は、内側面に当接する板部に二個の開口部７にそれぞれ挿通させるダクト接続口２３が突出した構成であり、本体箱体１の外に突出した二個のダクト接続口２３に、それぞれ室外に臨むダクト２４が接続される（図４参照）。
【００１３】
本体箱体１の開放した側面には、第２の端末部品２５が本体箱体１の内側からのネジ付けにより装着されている。第２の端末部品２５は、本体箱体１の側面を閉止する板部に前後方向に外側に突出する箱部２６が設けられた構成で、箱部２６には本体箱体１の天面に略平行に複数のダクト接続口２３が列状に取付けられている。第２の端末部品２５の箱部２６の両側には開口部２７が開けられ、それぞれの開口部２７にフランジ付きのダクト接続口２３が外付けされている。このダクト接続口２３と同じ構成のダクト接続口３０が、本体箱体１の前後の面の対称位置に開設された開口部２８にも着脱可能に装着されている。これらの対向する二方向のダクト接続口２３，３０を着脱可能に構成することにより、包装サイズを小さくでき、荷扱いがし易く、輸送コストも低減できる。
【００１４】
これらのダクト接続口２３，３０には各室内に通じるダクト２４がそれぞれ接続される。ただし、不用なダクト接続口２３はスチロールでできた密閉蓋３１で密閉され、ダクト接続の不用な開口部２８は、閉止板により閉止される。また、本体箱体１の点検口８は室内開口部３３及びフィルター装着口を有する蓋板３４で覆われる。
【００１５】
排気通路は、蓋板３４の室内開口部３３を入口端として、熱交換器５の一次通路から風路構造体１６の上部の通路１７を経て上側の羽根ケーシングブロック１０のスクロール空間１３の吹出口から風路構造体１６の前側の通路１８を通り、第１の端末部品２２の前側のダクト接続口２３を出口端とする一連の通風路である。そして、この排気通路には、二つの排気分岐通路２９が排気用送風機３の直前部で連絡している。給気通路は、第１の端末部品２２の後側のダクト接続口２３を入口端とし、風路構造体１６の一側の通路１９から熱交換器５の二次通路を経て下側の羽根ケーシングブロック１１のスクロール空間の吹出口から第２の端末部品２５の各ダクト接続口２３を出口端とする一連の通風路である。
【００１６】
排気通路及び排気分岐通路２９には排気用送風機３により室内空気を排気する排気流が、給気通路には給気用送風機２により室外の空気を室内へ給気する給気流が形成され、排気流と給気流とは熱交換器５により連続的に熱交換される。ただし、排気分岐通路２９から吸込まれた排気流は、熱交換器５より下流側で排気流と合流するため熱交換器５は通過せずに排気される。排気分岐通路２９はトイレ等のサニタリーゾーンの換気用であり、トイレ等のサニタリーゾーンの排気を行うと、熱交換器５に臭気成分が蓄積され、臭気を帯びた給気流が室内へ給気されることになるが、本実施の形態の熱交換換気装置では、排気分岐通路２９からの排気流は熱交換器５を通過しないので給気流が臭気を帯びるといったことはない。
【００１７】
排気分岐通路２９の本体箱体１への入口部分は、対称位置に設けられているので集合住宅等の対称構造の住宅への適用が容易である（図４参照）。また、給気用の対向するダクト接続口２３と排気分岐通路２９のダクト接続口３０とを共通部品として構成しているので、部品手配の手間が掛からず、これらを樹脂製とした場合には、金型も一つで済みコストを低減できる。
【００１８】
ダクト接続口３０については、図５に示すように排気分岐通路２９の本体箱体１の開口部２８に係合孔３２を設け、この係合孔３２に係合する爪３５をダクト接続口３０のフランジに設け、係合孔３２と爪３５の係合により装着するようにすることにより、組付性を向上させることがてきる。
【００１９】
本実施の形態の熱交換換気装置を天井裏へ取付けて使用している状態で、ダクト２４の接続不良や外れが分かった場合、天井面の蓋板３４を外し、点検口８を開放して熱交換器ユニット６を点検口８から抜取る。さらに、送風機ユニット４も横移動させ点検口８から抜取る。これにより、本体箱体１は、空洞の箱になる。本体箱体１の点検口８から操作して第２の端末部品２５と本体箱体１とを結合しているネジを外し、本体箱体１を水平移動させると、第１の端末部品２２は、本体箱体１における送風機ユニット４や熱交換器ユニット６といった機能部品の装着部分対応位置に位置させることができ、第２の端末部品２５は、前後左右に動かすことができる。
【００２０】
そして、第１あるいは第２の端末部品２２，２５のダクト２４との接続不良や外れを点検口８から修復し、本体箱体１を元の位置に戻し、第２の端末部品２５を点検口８からネジ締めすれば、第１の端末部品２２も元の位置になる。この後は、送風機ユニット４を点検口８より本体箱体１内に装着してから熱交換器ユニット６を装着して、点検口８に蓋板３４を取付ければダクト２４の修復は完了する。
【００２１】
【発明の効果】
請求項１の発明によれば、トイレ等のサニタリーゾーンの排気を行っても給気流が臭気を帯びることのない熱交換換気装置が得られる。
【００２２】
請求項２の発明によれば、請求項１に係る前記効果とともに集合住宅等の対称構造の住宅への適用がし易くなる。
【００２３】
請求項３の発明によれば、請求項２に係る前記効果とともに部品手配の手間を削減できる。
【００２４】
請求項４の発明によれば、請求項２に係る前記効果とともに組付性が向上する。
【図面の簡単な説明】
【図１】実施の形態の熱交換換気装置を示す分解斜視図である。
【図２】実施の形態の熱交換換気装置の送風機ユニットを示す分解斜視図である。
【図３】実施の形態の熱交換換気装置の熱交換器ユニットを示す分解斜視図である。
【図４】実施の形態の熱交換換気装置のダクトとの接続状態を示す説明図である。
【図５】実施の形態の熱交換換気装置の排気分岐通路のダクト接続口を示す部分拡大斜視図である。
【図６】従来の熱交換換気装置を示す構成図である。
【符号の説明】
１　本体箱体、　２　給気用送風機、　３　排気用送風機、　５　熱交換器、２３　ダクト接続口、　２８　開口部、　２９　排気分岐通路、　３０　ダクト接続口、　３２　係合孔、　３５　爪。
【図１】
2004085148.tif 000003
【図２】
2004085148.tif 000004
【図３】
2004085148.tif 000005
【図４】
2004085148.tif 000006
【図５】
2004085148.tif 000007
【図６】
2004085148.tif 000008